(57)【要約】【解決手段】雄ヒンジ部材Ｈ２が、高部側側壁２の下端水平フランジ２ａの上面に、高部側側壁と一体的に形成された雌部材Ｈ２’と、該雌部材に嵌合される雄部材Ｈ２”とから構成されているとともに、雌部材に係合された雄部材が、雌部材に対して水平方向にスライド可能に構成されており、且つ、雌ヒンジ部材Ｈ１に形成された切欠き凹部ｈ２の横幅と、雄ヒンジ部材を構成する雄部材の横幅とを、実質的に同じ幅に形成したものである。【効果】雌ヒンジ部材と雄ヒンジ部材との間に隙間が形成されることがなく、従って、この隙間への物品の入り込みを防止することができ、折り畳みコンテナーからの物品の取り出し作業の作業性が向上する。【選択図】図９
2014076840.tif 000002
【特許請求の範囲】
【請求項１】
底部と、底部の高部土手部及び低部土手部に配設された雌ヒンジ部材と、高部側側壁及び低部側側壁に配設された雄ヒンジ部材とを有し、雌ヒンジ部材と雄ヒンジ部材とをヒンジ連結することにより組み立てられるように構成された折り畳みコンテナーにおいて、雄ヒンジ部材が、高部側側壁の下端水平フランジの上面に、高部側側壁と一体的に形成された雌部材と、該雌部材に嵌合される雄部材とから構成されているとともに、雌部材に係合された雄部材が、雌部材に対して水平方向にスライド可能に構成されており、且つ、雌ヒンジ部材に形成された切欠き凹部の横幅と、雄ヒンジ部材を構成する雄部材の横幅とが、折り畳みコンテナーに収容された物品が入り込まないように、実質的に同じ幅に構成されていることを特徴とする折り畳みコンテナー。
【請求項２】
折り畳みコンテナーが箱型に組み立てられた際に、雌ヒンジ部材を構成する縦孔の底板の先端角部に突設された隙間閉塞用突条と、雄ヒンジ部材を構成する雄部材の肉厚部の下端とが当接或いは接近するように構成されていることを特徴とする請求項１に記載の折り畳みコンテナー。
【請求項３】
高部土手部の上面から低部側側壁の上面に向かって延在する張出部の底部の底板側の角部には、傾斜部が形成されており、また、低部側側壁には、低部側側壁を、底部方向に倒した際に、張出部が嵌合される嵌合凹部が形成されているとともに、嵌合凹部の底部の底板側の角部には、傾斜部が形成されており、低部側側壁が、略垂直に立てられた際には、張出部に形成された傾斜部と嵌合凹部に形成された傾斜部とが、当接或いは接近するように構成されていることを特徴とする請求項１又は請求項２に記載の折り畳みコンテナー。
【発明の詳細な説明】
【技術分野】
【０００１】
本発明は、底部と、底部にヒンジ連結された側壁とから構成された折り畳み可能な折り畳みコンテナーに関するものである。
【背景技術】
【０００２】
従来、底部の高さの低い相対する土手部に、一方の相対する側壁をヒンジ連結するとともに、底部の高さの高い相対する土手部に、もう一方の相対する側壁をヒンジ連結した折り畳みコンテナーが知られており、箱型状態の折り畳みコンテナーを折り畳むには、先ず最初に、底部の高さの低い相対する土手部にヒンジ連結された一方の相対する側壁を、底部に重なるように倒し、次いで、底部の高さの高い相対する土手部にヒンジ連結されたもう一方の相対する側壁を、底部に重ねられた一方の相対する側壁の上に重ねるように倒すことにより、折り畳みコンテナーを、高さの低いコンパクトな状態に折り畳むことができるように構成されており、また、折り畳まれた状態の折り畳みコンテナーの略水平状のもう一方の相対する側壁を、略垂直に立て、次いで、略水平状態の一方の相対する側壁を、略垂直に立てることにより、箱型状態にすることができるように構成されている。
【０００３】
上述した底部への一方の相対する側壁及びもう一方の相対する側壁への組み付けは、底部の一方の相対する土手部及び底部のもう一方の相対する土手部に配設された雌ヒンジ部材と、一方の相対する側壁及びもう一方の相対する側壁に配設された雄ヒンジ部材とをヒンジ連結することにより行われるように構成されている。
【０００４】
上述した底部の土手部に形成されている雌ヒンジ部材は、土手部に形成された縦孔、切欠き凹部及びフック等により構成されており、一方、側壁の下部フランジに垂設された雄ヒンジ部材は、一対の支持片、連結片及び当接ブロック部を有するヒンジブロックとにより構成されている。このような構成を有する雌ヒンジ部材及び雄ヒンジ部材は、本願出願前、周知であり、このような雌ヒンジ部材及び雄ヒンジ部材は、特許文献１〜特許文献３等に開示されている。
【０００５】
【特許文献１】特開２００４ー４２９９８号公報
【特許文献２】特開２００５ー１２６１０７号公報
【特許文献３】特開２００５ー１２６１０８号公報
【発明の開示】
【発明が解決しようとする課題】
【０００６】
上述した従来の折り畳みコンテナーにおいて、折り畳みコンテナーが、箱型に組み立てられた際には、箱型に組み立てられた折り畳みコンテナーの内側から見て、底部の土手部に形成された雌ヒンジ部材と該雌ヒンジ部材にヒンジ連結された雄ヒンジ部材との間には、雌ヒンジ部材や雄ヒンジ部材の成形後の収縮や変形等により、また、雌ヒンジ部材と雄ヒンジ部材との嵌合を考慮した寸法交差の必要性から、隙間が生ずることになる。
【０００７】
上述したように、折り畳みコンテナーが、箱型に組み立てられた状態において、雌ヒンジ部材と雄ヒンジ部材との間に隙間が形成されると、この隙間に、箱型に組み立てられた折り畳みコンテナーに収容された物品が入り込み、収容された物品の折り畳みコンテナーからの取り出しの際に、物品の取り出し作業の作業性が悪くなるという問題があった。
【０００８】
また、折り畳みコンテナーに収容された物品が、上述した隙間に入り込むことが可能な粒状や線状等の場合には、隙間に入り込んだ物品の全部を、折り畳みコンテナーからの取り出しが困難になる。
【０００９】
更に、上述した隙間に入り込んだ物品が、箱型に組み立てられた折り畳みコンテナーに残存すると、箱型に組み立てられた折り畳みコンテナーを折り畳む際に、隙間に入り込んだ物品が、側壁の底部方向への回動を阻害することになるとともに、強制的に、側壁の底部方向への回動を行うと、雌ヒンジ部材や雄ヒンジ部材が損傷することになり、ひいては、折り畳みコンテナー自体が、損傷することになる。
【００１０】
本発明の目的は、上述した従来の折り畳みコンテナーが有する課題を解決することにある。
【課題を解決するための手段】
【００１１】
本発明は、上述した目的を達成するために、底部と、底部の高部土手部及び低部土手部に配設された雌ヒンジ部材と、高部側側壁及び低部側側壁に配設された雄ヒンジ部材とを有し、雌ヒンジ部材と雄ヒンジ部材とをヒンジ連結することにより組み立てられるように構成された折り畳みコンテナーにおいて、第１には、雄ヒンジ部材が、高部側側壁の下端水平フランジの上面に、高部側側壁と一体的に形成された雌部材と、該雌部材に嵌合される雄部材とから構成されているとともに、雌部材に係合された雄部材が、雌部材に対して水平方向にスライド可能に構成されており、且つ、雌ヒンジ部材に形成された切欠き凹部の横幅と、雄ヒンジ部材を構成する雄部材の横幅とを、実質的に同じ幅に形成したものであり、第２には、折り畳みコンテナーが箱型に組み立てられた際に、雌ヒンジ部材を構成する縦孔の底板の先端角部に突設された隙間閉塞用突条と、雄ヒンジ部材を構成する雄部材の肉厚部の下端とが当接或いは接近するように構成したものであり、第３には、高部土手部の上面から低部側側壁の上面に向かって延在する張出部の底部の底板側の角部には、傾斜部が形成されており、また、低部側側壁には、低部側側壁を、底部方向に倒した際に、張出部が嵌合される嵌合凹部が形成されているとともに、嵌合凹部の底部の底板側の角部には、傾斜部が形成されており、低部側側壁が、略垂直に立てられた際には、張出部に形成された傾斜部と嵌合凹部に形成された傾斜部とが、当接或いは接近するように構成したものである。
【発明の効果】
【００１２】
本発明は、上述した構成を有するので、以下に記載する効果を奏することができるものである。
【００１３】
底部と、底部の高部土手部及び低部土手部に配設された雌ヒンジ部材と、高部側側壁及び低部側側壁に配設された雄ヒンジ部材とを有し、雌ヒンジ部材と雄ヒンジ部材とをヒンジ連結することにより組み立てられるように構成された折り畳みコンテナーにおいて、雄ヒンジ部材が、高部側側壁の下端水平フランジの上面に、高部側側壁と一体的に形成された雌部材と、該雌部材に嵌合される雄部材とから構成されているとともに、雌部材に係合された雄部材が、雌部材に対して水平方向にスライド可能に構成されており、且つ、雌ヒンジ部材に形成された切欠き凹部の横幅と、雄ヒンジ部材を構成する雄部材の横幅とを、実質的に同じ幅に形成したので、雌ヒンジ部材と雄ヒンジ部材との間に隙間が形成されることがなく、従って、この隙間への物品の入り込みを防止することができ、折り畳みコンテナーからの物品の取り出し作業の作業性が向上する。
【００１４】
折り畳みコンテナーが箱型に組み立てられた際に、雌ヒンジ部材を構成する縦孔の底板の先端角部に突設された隙間閉塞用突条と、雄ヒンジ部材を構成する雄部材の肉厚部の下端とが当接或いは接近するように構成したので、縦孔の底板と雄部材の肉厚部の下端との間に隙間が生ずるようなことをなく、従って、この隙間への物品の入り込みを防止することができ、折り畳みコンテナーからの物品の取り出し作業の作業性が向上する。
【００１５】
高部土手部の上面から低部側側壁の上面に向かって延在する張出部の底部の底板側の角部には、傾斜部が形成されており、また、低部側側壁には、低部側側壁を、底部方向に倒した際に、張出部が嵌合される嵌合凹部が形成されているとともに、嵌合凹部の底部の底板側の角部には、傾斜部が形成されており、低部側側壁が、略垂直に立てられた際には、張出部に形成された傾斜部と嵌合凹部に形成された傾斜部とが、当接或いは接近するように構成したので、張出部と嵌合凹部との間に隙間が生ずるようなことがなく、従って、この隙間への物品の入り込みを防止することができ、折り畳みコンテナーからの物品の取り出し作業の作業性が向上する。
【図面の簡単な説明】
【００１６】
【図１】図１は、箱型状態の本発明の折り畳みコンテナーの斜視図である。
【図２】図２は、本発明の折り畳みコンテナーの底部の斜視図である。
【図３】図３は、本発明の折り畳みコンテナーの底部に配設された雌ヒンジ部材の拡大斜視図である。
【図４】図４は、本発明の折り畳みコンテナーの底部に配設された雌ヒンジ部材の拡大垂直断面図である。
【図５】図５は、本発明の折り畳みコンテナーの高部側側壁に配設された雄ヒンジ部材の拡大斜視図である。
【図６】図６は、本発明の折り畳みコンテナーの高部側側壁に配設された雄ヒンジ部材を構成する雌部材の拡大斜視図である。
【図７】図７は、本発明の折り畳みコンテナーの高部側側壁に配設された雄ヒンジ部材を構成する雄部材の拡大斜視図である。
【図８】図８は、同じく、本発明の折り畳みコンテナーの高部側側壁に配設された雄ヒンジ部材を構成する雄部材の拡大斜視図である。
【図９】図９は、本発明の折り畳みコンテナーの高部側側壁に配設された雄ヒンジ部材の拡大分解斜視図である。
【図１０】図１０は、本発明の折り畳みコンテナーの高部側側壁と雄ヒンジ部材とが連結された状態の拡大垂直断面図である。
【図１１】図１１は、本発明の折り畳みコンテナーの高部側側壁に配設された雄ヒンジ部材と底部に配設された雌ヒンジ部材とがヒンジ連結された状態の拡大垂直断面図である。
【図１２】図１２は、本発明の折り畳みコンテナーの高部側側壁が、底部方向に倒される状態の拡大垂直断面図である。
【図１３】図１３は、本発明の折り畳みコンテナーを構成する底部、低部側側壁及び高部側側壁の分解拡大斜視図である。
【図１４】図１４は、箱型に組み立てられた状態の本発明の折り畳みコンテナーを構成する低部側側壁と底部との拡大水平断面図である。
【実施例】
【００１７】
以下に、本発明の実施例について説明するが、本発明の趣旨を越えない限り、何ら、本実施例に限定されるものではない。
【００１８】
先ず最初に、図１及び図２を用いて、本発明の折り畳みコンテナーの全体構成について説明する。
【００１９】
１は、平面形状が方形状の底部で有り、底部１は、相対する一方の土手部１ａと、相対するもう一方の土手部１ｂとを有しており、相対する一方の土手部１ａの高さは、相対するもう一方の土手部１ｂの高さより、高く形成されている。以下、相対するもう一方の土手部１ｂの高さより、高い相対する一方の土手部１ａを、高部土手部１ａと称し、また、相対する一方の土手部１ａの高さより、低い相対する一方の土手部１ｂを、低部土手部１ｂと称する。また、高部土手部１ａ及び低部土手部１ｂには、後述する雌ヒンジ部材Ｈ１が、所定の間隔で適当数、配設されている。
【００２０】
２は、高部土手部１ａにヒンジ連結された高部側側壁であり、また、３は、低部土手部１ｂにヒンジ連結された低部側側壁であり、高部側側壁２の下端水平フランジ２ａには、雌ヒンジ部材Ｈ１に対応して、後述する雄ヒンジ部材Ｈ２が配設されており、また、低部側側壁３の下端水平フランジ３ａには、雌ヒンジ部材Ｈ１に対応して、後述する雄ヒンジ部材Ｈ２が配設されている。なお、高部土手部１ａ及び低部土手部１ｂに配設された雌ヒンジ部材Ｈ１は、同一構成を有しており、また、高部側側壁２に配設された雄ヒンジ部材Ｈ２及び低部側側壁３に配設された雄ヒンジ部材Ｈ２も、同一構成を有しているので、以下においては、高部土手部１ａを例に説明する。
【００２１】
図３及び図４を用いて、雌ヒンジ部材Ｈ１について説明する。
【００２２】
底部１に形成された高部土手部１ａは、底部１の底板１ｃの縁部から上方に略垂直に延在する内壁部１ａ１と、内壁部１ａ１の上端から外側に略水平に延在する水平部１ａ２と、水平部１ａ２の縁部から下方に底板１ｃ付近まで延在する外壁部１ａ３とから構成されており、高部土手部１ａの長手方向に対して垂直な断面形状が、略逆Ｕ字状に形成されている。
【００２３】
高部土手部１ａには、平面形状が長方形の縦孔ｈ１が形成されており、また、高部土手部１ａの内壁部１ａ１には、上方が開放されているとともに、底板１ｃ方向に延在する方形状の切欠き凹部ｈ２が形成されている。また、切欠き凹部ｈ２の両側に位置する内壁部１ａ１の内面（外壁部１ａ３側に位置する面）の上端部には、フックｈ３が突設されている。更に、高部土手部１ａの水平部１ａ２と切欠き凹部ｈ２の相対する垂直側部ｈ２ａとの上端角部には、相対するガイド傾斜部ｈ４が形成されている。上記の高部土手部１ａに形成された縦孔ｈ１、切欠き凹部ｈ２、フックｈ３及びガイド傾斜部ｈ４とにより、雌ヒンジ部材Ｈ１が構成されている。
【００２４】
また、図４において、ｈ１ａは、縦孔ｈ１の底板であり、底板ｈ１ａと、縦孔ｈ１が位置する内壁部１ａ１とにより形成される角部、換言すれば、底板ｈ１ａの先端角部には、上方に向けて、隙間閉塞用突条ｈ１ｂが形成されている。
【００２５】
次に、図５〜図９を用いて、雄ヒンジ部材Ｈ２について説明するが、高部側側壁２に配設された雄ヒンジ部材Ｈ２及び低部側側壁３に配設された雄ヒンジ部材Ｈ２は、同一構成を有しているので、高部側側壁２に配設された雄ヒンジ部材Ｈ２を例に、雄ヒンジ部材Ｈ２について説明する。
【００２６】
高部側側壁２に配設された雄ヒンジ部材Ｈ２は、高部側側壁２の下端水平フランジ２ａの上面に、高部側側壁２と一体的に形成された雌部材Ｈ２’と、雌部材Ｈ２’に嵌合される雄部材Ｈ２”とから構成されている。
【００２７】
高部側側壁２と一体的に形成された雌部材Ｈ２’は、下端水平フランジ２ａの上面から、下端水平フランジ２ａに対して垂直に上方に延在する相対する垂直側板部ｈ１０と、相対する垂直側板部ｈ１０の上端を連結する天板部ｈ１１と、相対する垂直側板部ｈ１０の垂直先端を連結する前板部ｈ１２とを有している。高部側側壁２の板部２ｂと高部側側壁２の下端水平フランジ２ａと相対する垂直側板部ｈ１０と天板部ｈ１１と前板部ｈ１２とにより、箱型の雌部材Ｈ２’が形成されており、箱型の雌部材Ｈ２’を構成する高部側側壁２の下端水平フランジ２ａには、雄部材Ｈ２”が嵌合される嵌合透孔２ａ１が穿設されている。また、雌部材Ｈ２’を構成する前板部ｈ１２の中程には、横長の透孔ｈ１３が穿設されている。
【００２８】
次に、図７及び図８を用いて、雄ヒンジ部材Ｈ２を構成する雄部材Ｈ２”について説明する。
【００２９】
雄部材Ｈ２”は、縦長のブロック状本体ｈ１００を有しており、ブロック状本体ｈ１００の上半分には、上述した雌部材Ｈ２’の嵌合透孔２ａ１に嵌合される嵌合部ｈ１００’が形成されており、また、ブロック状本体ｈ１００の下半分には、底部１に形成された雌ヒンジ部材Ｈ１にヒンジ連結されるヒンジ連結部ｈ１００”が形成されている。
【００３０】
ブロック状本体ｈ１００の相対する側面ｈ１０１の下端部には、ヒンジブロックｈ１０２が形成されており、ヒンジブロックｈ１０２の上面には、略直方体状の当接ブロック部ｈ１０２ａが突設されており、ヒンジブロックｈ１３の底面は、下方に湾曲した湾曲面ｈ１０２ｂとして形成されている。
【００３１】
ブロック状本体ｈ１００の嵌合部ｈ１００’とヒンジ連結部ｈ１００”との境界部には、ヒンジブロックｈ１０２の当接ブロック部ｈ１０２ａを越えて外側に、且つ、ブロック状本体ｈ１００の下端まで延在する肉厚部ｈ１０３が形成されている。また、肉厚部ｈ１０３の上面ｈ１０３ａと、ブロック状本体ｈ１００の相対する側面ｈ１０１とにより形成される角部には、ブロック状本体ｈ１００の相対する側面ｈ１０１から突出した三角形状のガイド部ｈ１０４が形成されており、ガイド部ｈ１０４の上面と肉厚部ｈ１０３の上面ｈ１０３ａとは面一に形成されている。
【００３２】
また、ブロック状本体ｈ１００の肉厚部ｈ１０３と反対側に位置する外側面（折り畳みコンテナーが、箱型に組み立てられた際に、折り畳みコンテナーの内側に位置する面）ｈ１０５の嵌合部ｈ１００’側には、上述した雌部材Ｈ２’の前板部ｈ１２に穿設された横長の透孔ｈ１３に係合される係止突起ｈ１０６が形成されている。
【００３３】
図１０に示されているように、雄部材Ｈ２”が嵌合される嵌合透孔２ａ１に、雌部材Ｈ２’の嵌合部ｈ１００’を嵌合するとともに、雌部材Ｈ２’を構成する前板部ｈ１２に穿設された横長の透孔ｈ１３に、係止突起ｈ１０６を係合して、雄ヒンジ部材Ｈ２を構成する雌部材Ｈ２’と雄部材Ｈ２”とを連結する。係止突起ｈ１０６の横幅は、透孔ｈ１３の横幅より、短く形成されている。このように構成することにより、係止突起ｈ１０６が、透孔ｈ１３に係合された際には、透孔ｈ１３の沿って、水平方向にスライドすることになる。
【００３４】
次いで、底部１に配設された雌ヒンジ部材Ｈ１に、高部側側壁２に配設された雄ヒンジ部材Ｈ２の雄部材Ｈ２”を連結することにより、図１１に示されているように、底部１に配設された雌ヒンジ部材Ｈ１と高部側側壁２に配設された雄ヒンジ部材Ｈ２とがヒンジ連結されるように構成されている。
【００３５】
上述したようにして、底部１に配設された雌ヒンジ部材Ｈ１と高部側側壁２に配設された雄ヒンジ部材Ｈ２とがヒンジ連結され、同様に、底部１に配設された雌ヒンジ部材Ｈ１と低部側側壁３に配設された雄ヒンジ部材Ｈ２とがヒンジ連結されることになる。
【００３６】
また、高部側側壁２及び低部側側壁３が略垂直に立てられた際には、換言すれば、折り畳みコンテナーが箱型に組み立てられた際には、図１１に示されているように、底部１に形成された縦孔ｈ１の底板ｈ１ａの先端角部に突設された隙間閉塞用突条ｈ１ｂと、高部側側壁２に配設された雄ヒンジ部材Ｈ２を構成する雄部材Ｈ２”の肉厚部ｈ１０３の下端ｈ１０３’とが当接或いは接近するように構成されており、このように構成することにより、折り畳みコンテナーに収容された物品が入り込むような隙間が形成されないように構成されている。
【００３７】
上述したように、底部１に配設された雌ヒンジ部材Ｈ１と高部側側壁２に配設された雄ヒンジ部材Ｈ２及び底部１に配設された雌ヒンジ部材Ｈ１と低部側側壁３に配設された雄ヒンジ部材Ｈ２とをヒンジ連結する際には、高部側側壁２或いは低部側側壁３を、水平状態に維持した状態で、底部１方向に下動させることになるが、このように、水平状態に維持された高部側側壁２或いは低部側側壁３を、底部１方向への下動した際には、例えば、水平状態に維持された雄ヒンジ部材Ｈ２を構成する雄部材Ｈ２”の肉厚部ｈ１０３の垂直側面ｈ１０３”が、高部土手部１ａの水平部１ａ２と切欠き凹部ｈ２の相対する垂直側部ｈ２ａとの上端角部に形成されたガイド傾斜部ｈ４に当接し、ガイド傾斜部ｈ４に沿って、雄ヒンジ部材Ｈ２の垂直中心線と切欠き凹部ｈ２の垂直中心線とが一致するように、雄ヒンジ部材Ｈ２が水平方向にスライドすることになる。この雄ヒンジ部材Ｈ２の水平方向のスライドは、雌部材Ｈ２’を構成する前板部ｈ１２に穿設された横長の透孔ｈ１３に係合された係止突起ｈ１０６が沿って行われることになる。なお、肉厚部ｈ１０３の垂直側面ｈ１０３”とブロック状本体ｈ１００の側面ｈ１０１とは、面一に形成されている。
【００３８】
また、高部土手部１ａに配設された雌ヒンジ部材Ｈ１の内壁部１ａ１に形成された切欠き凹部ｈ２の垂直側部ｈ２ａ間の横幅と、雄ヒンジ部材Ｈ２を構成する雄部材Ｈ２”の肉厚部ｈ１０３の垂直側面ｈ１０３”間の横幅とは、実質的に同じ幅に形成されている。従って、折り畳みコンテナーが、箱型に組み立てられた状態においては、雌ヒンジ部材Ｈ１に形成された切欠き凹部ｈ２と、雄ヒンジ部材Ｈ２を構成する雄部材Ｈ２”の肉厚部ｈ１０３との間に、折り畳みコンテナーに収容された物品が入り込むような隙間が生ずるようなことがない。
【００３９】
また、折り畳みコンテナーが、箱型に組み立てられた状態においては、高部土手部１ａ及び低部土手部１ｂに形成された雌ヒンジ部材Ｈ１のガイド傾斜部ｈ４と、雄ヒンジ部材Ｈ２を構成する雄部材Ｈ２”の肉厚部ｈ１０３に形成された三角形状のガイド部ｈ１０４とが、当接或いは接近するように構成されているので、雄ヒンジ部材Ｈ２の肉厚部ｈ１０３と切欠き凹部ｈ２との間に、折り畳みコンテナーに収容された物品が入り込むような隙間が生ずるようなことを防止することができるとともに、雌ヒンジ部材Ｈ１に対して、雄ヒンジ部材Ｈ２が、横方向に移動することがなく、従って、安定した状態で、底部１と高部側側壁２や低部側側壁３とをヒンジ連結することができる。
【００４０】
ところで、図１３及び図１４に示されているように、高部土手部１ａの両端部と低部土手部１ｂの両端部との間には、高部土手部１ａの上面から、低部土手部１ｂの上面に向かって延在する周知の湾曲状の張出部Ｍが形成されているとともに、張出部Ｍの底部１の板部１ｃ側に位置する角部には、張出部Ｍの上面から低部土手部１ｂの上面まで達する傾斜部ｍ１が形成されている。
【００４１】
また、高部土手部１ａの両端部と低部土手部１ｂの両端部との間に、上述した張出部Ｍを形成したことにより、折り畳みコンテナーの低部側側壁３の両端部の下端角部には、低部側側壁３を、底部１方向に倒した際に、張出部Ｍが嵌合される嵌合凹部Ｎが形成されているとともに、嵌合凹部Ｎの底部１の底板１ｃ側の角部には、傾斜部ｎ１が形成されている。低部側側壁３が、略垂直に立てられた際には、張出部Ｍに形成された傾斜部ｍ１と嵌合凹部Ｎに形成された傾斜部ｎ１とが、当接或いは接近して位置するように構成されている。このように構成することにより、低部側側壁３が、略垂直に立てられた際に生じる底部１に形成された張出部Ｍと低部側側壁３に形成された嵌合凹部Ｎとの間の隙間に、折り畳みコンテナーに収容された物品が入り込まないように構成されている。
【符号の説明】
【００４２】
Ｈ１・・・・・・・・・・・雌ヒンジ部材
Ｈ２・・・・・・・・・・・雄ヒンジ部材
Ｈ２’・・・・・・・・・・雌部材
Ｈ２”・・・・・・・・・・雄部材
ｈ４・・・・・・・・・・・ガイド傾斜部
ｈ１３・・・・・・・・・・透孔
ｈ１００・・・・・・・・・ブロック状本体
ｈ１０３・・・・・・・・・肉厚部
ｈ１０４・・・・・・・・・ガイド部
ｈ１０６・・・・・・・・・係止突起
１・・・・・・・・・・・・底部
１ａ・・・・・・・・・・・高部土手部
１ｂ・・・・・・・・・・・低部土手部
２・・・・・・・・・・・・高部側側壁
３・・・・・・・・・・・・低部側側壁
【図１】
2014076840.tif 000003
【図２】
2014076840.tif 000004
【図３】
2014076840.tif 000005
【図４】
2014076840.tif 000006
【図５】
2014076840.tif 000007
【図６】
2014076840.tif 000008
【図７】
2014076840.tif 000009
【図８】
2014076840.tif 000010
【図９】
2014076840.tif 000011
【図１０】
2014076840.tif 000012
【図１１】
2014076840.tif 000013
【図１２】
2014076840.tif 000014
【図１３】
2014076840.tif 000015
【図１４】
2014076840.tif 000016